(57)【特許請求の範囲】
【請求項１】
第１のディスクに対して再生動作を行う再生部と、第２のディスクに対して録音又は再生動作を行う記録再生部と、第１のディスクの再生内容を第２のディスクにコピーさせる記録手段とを備えるオーディオシステムにおいて、
前記記録手段により第２のディスクへコピーできない、第１のディスク内のトラックの有無を判定する判定手段と、
前記判定手段により第１のディスクにコピーできないトラックが存在した場合に、そのトラックナンバー及び記録禁止要因を記憶する記憶手段と、
前記記憶手段により記憶されたトラックナンバーを通知する通知手段と、
前記記憶手段に記憶された記録禁止要因毎に、コピー時の信号経路、コピー速度のうち、少なくとも一方の切り替えを行う切り替え手段と、を備え、
前記記録手段は、前記記憶手段により記憶されたトラックナンバーに基づき、且つ前記切り替え手段によって切り替えられた信号経路、コピー速度のうち、少なくとも一方にしたがって、第１のディスクから第２のディスクに再記録することを特徴とするオーディオシステム。
【請求項２】
前記通知手段は、前記記憶手段により記憶された記録禁止要因も通知することを特徴とする請求項１記載のオーディオシステム。
【請求項３】
前記記録手段による再記録後、記録された第２のディスクのトラック順を変更するトラック順変更手段を更に備えることを特徴とする請求項１又は２記載のオーディオシステム。
【発明の詳細な説明】
【０００１】
【発明の属する技術分野】
本発明は、一方のディスクに記録されたデジタル信号を他方のディスクにコピー可能なオーディオシステムに関する。
【０００２】
【従来の技術】
ＣＤ（Compact Disc）からＭＤ（Mini Disc）へ、一度、高速（倍速以上）のダビング（コピー）を行った場合、著作権保護のために、ダビング開始から一定の時間（７４分間）は、その記録内容を再度、別のＭＤへ高速でダビングすることはできない。この制限に該当してダビングが行われなかった場合は、ユーザが、時間を待つか、手動で通常速に切り替えることによって再記録することができる。
【０００３】
また、同じく、著作権保護のために、ＳＣＭＳ（Serial Copy Management System）と呼ばれるデジタルコピーの世代管理規格により、デジタル経路でのコピーは、１世代のみに制限されている。例えば、ＣＤからＭＤへのデジタル録音は許されるが、そのデジタル録音されたＭＤから他のＭＤへのデジタル録音は認められていない。このＳＣＭＳの制限に該当した場合は、ユーザが、手動でアナログ経路への切り替え操作を行うことによって再記録することができる。
【０００４】
【発明が解決しようとする課題】
しかしながら、上記の制限に該当した場合には、ユーザが、コピー先のディスクを再生するまでは、ダビングできなかったトラックの有無を確認することができない上に、上記の制限の何れの要因でダビングができなかったのかが判別できないため、ユーザは対処の方法がわからないという問題があった。
【０００５】
本発明の課題は、一方のディスクから他方のディスクへのダビング時に、著作権保護等の制約により記録できなかったトラック、及び記録禁止要因を通知して、再記録することのできるオーディオシステムを提供することである。
【０００６】
【課題を解決するための手段】
請求項１記載の発明は、
第１のディスクに対して再生動作を行う再生部（例えば、図１の再生部１）と、第２のディスクに対して録音又は再生動作を行う記録再生部（例えば、図１の記録再生部２）と、第１のディスクの再生内容を第２のディスクにコピーさせる記録手段（例えば、図１のシステムコントローラ３）とを備えるオーディオシステム（例えば、図１のオーディオシステム１０）において、
前記記録手段により第２のディスクへコピーできない、第１のディスク内のトラックの有無を判定する判定手段（例えば、図１のシステムコントローラ３）と、
前記判定手段により第１のディスクにコピーできないトラックが存在した場合に、そのトラックナンバー及び記録禁止要因を記憶する記憶手段（例えば、図１の対応トラック記憶部４１）と、
前記記憶手段により記憶されたトラックナンバーを通知する通知手段（例えば、図１の表示部６）と、
前記記憶手段に記憶された記録禁止要因毎に、コピー時の信号経路、コピー速度のうち、少なくとも一方の切り替えを行う切り替え手段（例えば、図１のシステムコントローラ３）と、を備え、
前記記録手段は、前記記憶手段により記憶されたトラックナンバーに基づき、且つ前記切り替え手段によって切り替えられた信号経路、コピー速度のうち、少なくとも一方にしたがって、第１のディスクから第２のディスクに再記録することを特徴としている。
【０００７】
この請求項１記載の発明によれば、前記記録手段により第２のディスクへコピーできない、第１のディスク内のトラックの有無を判定する判定手段と、この判定手段により第１のディスクにコピーできないトラックが存在した場合に、そのトラックナンバー及び記録禁止要因を記憶する記憶手段と、この記憶手段により記憶されたトラックナンバーを通知する通知手段とを備えたことにより、第１のディスクから第２のディスクにコピーできなかったトラックナンバーをユーザに通知できるとともに、前記記録手段により、前記記憶手段により記憶されたトラックナンバーに基づいて、第１のディスクから第２のディスクに再記録することができる。
また、記憶手段に記憶された記録禁止要因毎に、コピー時の信号経路、コピー速度のうち、少なくとも一方の切り替えを行う切り替え手段を備え、切り替えられた信号経路、コピー速度のうち、少なくとも一方にしたがって、第１のディスクから第２のディスクに再記録することにより、再記録動作の効率化を図ることができる。
【０００８】
請求項２記載の発明は、請求項１記載の発明において、
前記通知手段は、前記記憶手段により記憶された記録禁止要因も通知することを特徴としている。
【０００９】
この請求項２記載の発明によれば、通知手段は、トラックナンバーに加えて記録禁止要因も通知することにより、ユーザは、第１のディスクから第２のディスクにコピーできなかった要因を把握することができる。
【００１２】
請求項３記載の発明は、請求項１又は２記載の発明において、
前記記録手段による再記録後、記録された第２のディスクのトラック順を変更するトラック順変更手段（例えば、図１のシステムコントローラ３、操作部５）を更に備えることを特徴としている。
【００１３】
この請求項３記載の発明によれば、記録手段による再記録後、記録された第２のディスクのトラック順を変更するトラック順変更手段を備えることにより、第２のディスクの再生順序をコピー元である第１のディスクの再生順序と同じにする等、ユーザが所望する順序に変更することができる。
【００１４】
【発明の実施の形態】
以下、図を参照して本発明の実施の形態を詳細に説明する。
まず、構成を説明する。
【００１５】
図１は、本発明を適用したオーディオシステム１０内部の機能構成を示す図である。この図１において、オーディオシステム１０は、再生部１、記録再生部２、システムコントローラ３、操作部５、表示部６、音声出力端子７及び８により構成され、システムコントローラ３は、その内部にＲＡＭ４を有する。
【００１６】
再生部１は、図示しない光ピックアップ、ＤＳＰ、トラッキングスレッドサーボ回路、スピンドルサーボ回路、Ｄ／Ａ変換器等により構成され、システムコントローラ３から入力される制御信号により、再生部１内に装填されたＣＤやＭＤ等のディスクの目的アドレスの検索や再生を行う。
【００１７】
光ピックアップは、ディスク再生時に、後述するトラッキングスレッドサーボ回路に制御されたスレッド（図示せず）により、ディスクの半径方向に移動し、当該ディスクにレーザ光を照射することで、その反射光から、当該ディスクに記録されているデータを抽出する。
【００１８】
ＤＳＰ（Digital Signal Processor）は、光ピックアップによりディスクから読み出されたデジタル音声信号に対しＥＦＭデコード等の処理を施す。記録再生部２においてデジタル録音が行われる際には、ＤＳＰは、この処理したデジタル音声信号を記録再生部２に出力し、アナログ録音が行われる際には、後述するＤ／Ａ変換器に出力する。
【００１９】
トラッキングスレッドサーボ回路は、ディスク再生時に、ＤＳＰから入力した各種信号に基づいて、スレッド駆動信号をスレッドモータに印加することにより、光ピックアップを当該ディスクの半径方向に移動させる。
【００２０】
スピンドルサーボ回路は、ディスク再生時に、ＤＳＰから入力した各種信号に基づいて、ディスクを下方から支持しているスピンドルモータにスピンドル駆動信号を印加することで、スピンドルモータを一定線速度に制御し、当該ディスクを回転駆動させる。
【００２１】
Ｄ／Ａ変換器は、再生部１のディスクの再生時に、ＤＳＰで処理されたデジタル音声信号をアナログ音声信号に変換する。記録再生部２でアナログ録音が行われる際には、このＤ／Ａ変換器は、システムコントローラ３からの制御信号により、このアナログ信号を記録再生部２に出力する。
【００２２】
ＭＤの内周（トラック）には、トラック名（曲名）や、各トラックの録音日時、スタートアドレス、エンドアドレス等の情報とともに、ＳＣＭＳの規格を守るため、そのトラックがデジタルコピー可能であるか否かを示す情報が、ＵＴＯＣ（User Table Of Contents）情報として記録されている。
【００２３】
一方、ＣＤの内周（トラック）には、トラック名（曲名）や、各トラックの録音日時、スタートアドレス、エンドアドレス等の情報がＴＯＣ情報として記録されている。また、ＳＣＭＳの規格を守るため、そのトラックがデジタルコピー可能であるかを示す情報が、サブコードＱチャンネル情報として、サブコードブロック毎（９８フレーム）に記録されている。
【００２４】
記録再生部２は、図示しない磁気ヘッド、光ピックアップ、ＤＳＰ、トラッキングスレッドサーボ回路、スピンドルサーボ回路、Ａ／Ｄ変換器等により構成され、システムコントローラ３から入力される制御信号により、記録再生部２内に装填されたディスクの再生や、再生部１で再生される音声信号のデジタル録音、又はアナログ録音を行う。
【００２５】
Ａ／Ｄ変換器は、記録再生部２でのアナログ録音の際に、再生部１から入力されるアナログ音声信号をデジタル音声信号に変換し、後述するＤＳＰに出力する。
【００２６】
ＤＳＰは、アナログ録音の際、Ａ／Ｄ変換器から入力されるデジタル音声信号にＥＦＭエンコード処理等を施す。デジタル録音の際は、Ａ／Ｄ変換器を経ずに再生部１から入力されるデジタル音声信号に対し、ＥＦＭエンコード処理等を施す。
【００２７】
磁気ヘッドは、ディスクを挟んで光学ヘッドと対向する位置に配置され、記録再生部２に装填されたディスクの録音時に、光学ヘッドとともにスレッドによりディスクの半径方向に移動する。このとき、磁気ヘッドは、ＤＳＰにおいてＥＦＭ変調等のエンコード処理された音声信号に対応する磁界を該ディスクに印加する。
【００２８】
記録再生部２内の光ピックアップ、トラッキングスレッドサーボ回路、スピンドルサーボ回路の構成説明は、再生部１内のものと同等であるので、ここでの説明は省略する。
【００２９】
システムコントローラ３は、図示しないＣＰＵと、後述するＲＡＭ４とを有するマイクロコンピュータにより構成され、ＣＰＵは、ユーザによる操作部５からのキー操作により、後述するＲＡＭ４に格納された動作プログラムを読み出して各種の制御動作を行う。
【００３０】
ＲＡＭ（Random Access Memory）４は、システムコントローラ３で実行される各種アプリケーションプログラム、記録処理プログラム、対応トラック表示処理プログラム、再記録処理プログラム等を格納する。また、ＲＡＭ４は、対応トラック記憶部４１を有しており、再生部１から記録再生部２へのダビング時に、再生部１に装填されたディスクの記録禁止要因と、記録が禁止されたトラックナンバーとを関連付けて記憶する。
【００３１】
図２（ａ）に、対応トラック記憶部４１に記憶される対応トラック記憶テーブル例を示す。この対応トラック記憶テーブルは、記録禁止要因とトラックナンバー（ＴＮＯ）の項目から構成され、記録禁止要因としては、上記した２つの要因による制限と、音声データがオーディオデータでないことを示すＤＡＴＡ（not audio）が設定されている。
【００３２】
操作部５は、再生キー、停止キー、ダビングキー、表示キー等の各種操作キーを有し、キー操作による操作信号をシステムコントローラ３に出力する。
【００３３】
表示部６は、ＬＣＤ（Liquid Crystal Display）等により構成され、システムコントローラ３の制御に基づいて、所要の表示操作を行う。例えば、ディスク再生時の進行時間やトラックナンバー等のＴＯＣ（Table Of Contents）情報や動作モード等を表示する。図２（ｂ）には、図２（ａ）に示した対応トラック記憶テーブルの内容を表示した例を示している。
【００３４】
音声出力端子７、８は、それぞれ、再生部１、記録再生部２から出力され、図示しない増幅回路で増幅された再生音声を外部に出力する。
【００３５】
次に、本実施の形態の動作を説明する。
システムコントローラ３において実行される記録処理を図３のフローチャートに基づいて説明する。
【００３６】
システムコントローラ３は、まず、ユーザにより操作部５のダビングキーが押されて、再生部１から記録再生部２への記録開始指示がされたか否かを確認する（ステップＳ１１）。記録開始指示がなければ、システムコントローラ３は、本処理を終了し、記録開始指示があれば、再生部１のディスクの内周トラックに記録されているＵＴＯＣ情報をトラック順に読み取らせ、ＳＣＭＳ等の記録禁止要因があるか否かを判定する（ステップＳ１２）。
【００３７】
読み取ったトラックに記録禁止要因がなければ、システムコントローラ３は、そのトラックの記録を開始して（ステップＳ１６）、ステップＳ１２に戻り、次のトラックに記録禁止要因があるか否かを判定する。
【００３８】
記録禁止要因があるトラックを検出すると、システムコントローラ３は、その記録を一時停止するとともに、その記録禁止要因と、対応するトラックナンバーを関連付けてＲＡＭ４内の対応トラック記憶部４１に記憶させる（ステップＳ１３）。
【００３９】
次いで、システムコントローラ３は、ユーザにより停止キーが押されて記録停止指示がされたか否かを確認し（ステップＳ１４）、停止指示がされなければ、ステップＳ１２に戻り、指示があれば、再生部１から記録再生部２への記録を停止し（ステップＳ１５）、本記録処理を終了する。
【００４０】
次に、システムコントローラ３によって実行される対応トラック表示処理を図４のフローチャートに基づいて説明する。
【００４１】
システムコントローラ３は、ユーザにより表示キーが押され、記録禁止要因により記録できなかったトラックの表示指示があったか否かを判断する（ステップＳ２１）。表示指示がなければ、システムコントローラ３は、本処理を終了し、表示指示があれば、対応トラック記憶部４１に記憶されている対応トラック記憶テーブルを参照し、その内容を表示部６に表示し（ステップＳ２２）、本処理を終了する。
【００４２】
図２（ａ）には、対応トラック記憶テーブル例が示されている。この例では、対応トラック記憶テーブルに、再生部１のディスクのトラックナンバー０１と０２の情報が、倍速以上のダビングを行ったことにより記録不可であること、トラックナンバー０５と０７の情報がＳＣＭＳにより記録不可であること、及びトラックナンバー０９のデータがオーディオデータでないため記録不可であることを示す情報が記憶されている。図２（ａ）のテーブル例を表示部６に表示した例が図２（ｂ）に示されている。この例のように、記録禁止要因が複数存在する場合は、それぞれの記録禁止要因に対応するトラックナンバーを一覧表示する。
【００４３】
最後に、システムコントローラ３によって実行される再記録処理を図５のフローチャートに基づいて説明する。
【００４４】
システムコントローラ３は、まず、ユーザによるキー操作によって、記録禁止要因により記録再生部２のディスクに記録できなかったトラックの再記録指示があったか否かを判定する（ステップＳ３１）。もし、再記録の指示がなければ、システムコントローラ３は、本処理を終了し、指示があれば、対応トラック記憶部４１を参照して、ＳＣＭＳの規格によって記録禁止になったトラックがあるか否かを確認する（ステップＳ３２）。ＳＣＭＳにより記録禁止になったトラックが検出できなければ、後述するステップＳ３４に移行する。
【００４５】
ステップＳ３２において、記録禁止原因がＳＣＭＳであるトラックがあることを検出すると、システムコントローラ３は、記録経路をデジタル経路からアナログ経路に切り替えて、該トラックの再記録を開始する（ステップＳ３３）。
【００４６】
次に、システムコントローラ３は、対応トラック記憶部４１を参照して、倍速以上のダビングを行ったことにより記録禁止になったトラックがあるか否かを確認する（ステップＳ３４）。倍速以上のダビングを行ったことにより記録禁止になったトラックが検出できなければ、後述のステップＳ３６に移行する。
【００４７】
ステップＳ３４において、倍速以上のダビングを行ったことによって記録禁止になったトラックが存在すれば、システムコントローラ３は、記録禁止時間を待った後、該トラックの再記録を行う（ステップＳ３５）。
【００４８】
記録再生部２のディスクへの記録時は、該ディスクのプログラムエリアに再生部１からの音楽データ等の情報が記録され、ＵＴＯＣエリアには、記録した音楽データのスタートアドレス及びエンドアドレス情報等がトラックナンバーと関連させて記録される。
【００４９】
記録再生部２のディスクへ再記録終了後、ユーザから、このディスクの再生順と、ソースとなる再生部１のディスクの再生順とを同一にするような指示があれば、システムコントローラ３は、対応トラック記憶部４１に記憶されているトラックナンバーを参照して、記録再生部２のディスクのＵＴＯＣ情報を編集して、再生部１の再生順と同一になるように、記録再生部２内のディスクのトラックナンバー入れ替えを行い（ステップＳ３６）、本処理を終了する。
【００５０】
以上のように、本実施の形態のオーディオシステム１０では、再生部１のディスクから記録再生部２のディスクへのダビング時に、著作権保護等の制限により記録できなかったトラックナンバーを記録禁止要因とともに対応トラック記憶部４１に記憶し、表示部６に表示することで、ユーザは、ダビング時にその場を離れていても、表示内容を見れば記録できなかったトラックを容易に把握できる。
【００５１】
また、ダビング時にＳＣＭＳ等の制限により記録再生部２のディスクに記録できなかった場合、ユーザから再記録の指示があれば、それぞれ、記録経路をアナログ経路に切り替えたり、記録禁止時間を待つことで、再記録を開始することができる。
【００５２】
さらに、再記録後、ユーザから、記録されたディスクのトラック順の入れ替え指示があれば、ＵＴＯＣエリアを操作することにより、コピー先であるディスクの再生順序を、コピー元である再生部１のディスクの再生順序と同じにすることができる。
【００５３】
なお、本実施の形態における記述内容は、本発明に係るオーディオシステム１０の細部構成、及び詳細動作に関しても、本発明の趣旨を逸脱することのない範囲で適宜変更可能である。例えば、本実施の形態では、ダビング時にＳＣＭＳ等の制限により記録再生部２のディスクに記録できなかった場合、ユーザからの再記録の指示により、再記録を開始したが、ユーザからの指示を待つことなく自動的に再記録を行ってもよい。
【００５４】
【発明の効果】
請求項１記載の発明のオーディオシステムによれば、コピー元のディスクからコピー先のディスクにコピーできなかったトラックナンバーをユーザに通知することができるとともに、このコピーできなかったトラックを第２のディスクに再記録することができる。
また、記録禁止要因毎に、コピー時の信号経路、コピー速度のうち、少なくとも一方の切り替えを行って再記録動作を行うことで、再記録動作の効率化を図ることができる。
【００５５】
請求項２記載の発明のオーディオシステムによれば、請求項１記載の発明の効果に加えて、ユーザは、コピー元のディスクからコピー先のディスクにコピーできなかった要因を把握できる。
【００５７】
請求項３記載の発明のオーディオシステムによれば、請求項１又は２記載の発明の効果に加えて、コピー先のディスクの再生順序をコピー元のディスクの再生順序と同じにする等、ユーザが所望する順序に変更することができる。
【図面の簡単な説明】
【図１】本発明を適用したオーディオシステム１０内部の機能構成を示すブロック図である。
【図２】対応トラック記憶部４１に記憶される対応トラック記憶テーブルを表す図（同図（ａ））と、このテーブルに記憶された内容の表示例を示す図（同図（ｂ））である。
【図３】システムコントローラ３において実行される記録処理を示すフローチャートである。
【図４】システムコントローラ３において実行される対応トラック表示処理を示すフローチャートである。
【図５】システムコントローラ３において実行される再記録処理を示すフローチャートである。
【符号の説明】
１    再生部
２    記録再生部
３    システムコントローラ
４    ＲＡＭ
４１  対応トラック記憶部
５    操作部
６    表示部
７、８  音声出力端子
１０    オーディオシステム
【図１】
0003875835.tif 000002
【図２】
0003875835.tif 000003
【図３】
0003875835.tif 000004
【図４】
0003875835.tif 000005
【図５】
0003875835.tif 000006